(57)【要約】【課題】郵便物の仕分け作業と作業不良の検出とを簡単かつ早期に行う郵便物仕分け装置、及び郵便物仕分け方法を提供する。【解決手段】照合処理部１２は、配送先情報データベース１１から、配送先情報に含まれる郵便番号毎に、配送先情報に連続して一意に割り当てられた管理番号の範囲との関連付けを表した配送先情報分類表を読み込む。また、郵便物を、計数器２を利用して計数しながら搬送する。そして、読み取り機３により、搬送される郵便物に付加された郵便番号と管理番号とからなる管理情報を読み取ると共に、通数の計数結果と管理情報とを配送先情報分類表に照らし合わせ、郵便物の抜け等の作業不良と郵便番号のチェックを行う。そして、読み取られた管理情報が計数結果から期待される正しい管理情報である場合、郵便番号仕分けを行うと共に、印刷処理部１３は、マーカ印刷機４に対し、仕分けられた郵便物毎に異なるマーカ印刷を指示する。【選択図】  図１
2004148238.tif 000002
【特許請求の範囲】
【請求項１】
郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を記憶する分類表記憶手段と、
搬送される前記郵便物を計数する計数手段と、
搬送される前記郵便物に付加された管理情報を読み取る管理情報読み取り手段と、
計数結果と読み取られた前記管理情報とを前記配送先情報分類表に照らし合わせ、前記管理情報の照合を行う管理情報照合手段と、
照合結果に基づいて、前記郵便物を仕分ける仕分け手段と
を備えた郵便物仕分け装置であって、
前記管理情報が、前記郵便番号と前記管理番号とを複合化した数列からなる
ことを特徴とする郵便物仕分け装置。
【請求項２】
郵便物の配送先情報に含まれる郵便番号毎に、該郵便番号を付加された郵便物の通数と、同一の郵便番号が付与された前記郵便物の集合毎に独立に管理されると共に、それぞれの集合の中で前記配送先情報に連続して一意に割り当てられた同郵便番号内管理番号の範囲との関連付けを表した配送先情報分類表を記憶する分類表記憶手段と、
搬送される前記郵便物を計数する計数手段と、
搬送される前記郵便物に付加された管理情報を読み取る管理情報読み取り手段と、
計数結果と読み取られた前記管理情報とを前記配送先情報分類表に照らし合わせ、前記管理情報の照合を行う管理情報照合手段と、
照合結果に基づいて、前記郵便物を仕分ける仕分け手段と
を備えた郵便物仕分け装置であって、
前記管理情報が、前記郵便番号と前記同郵便番号内管理番号とを複合化した数列からなる
ことを特徴とする郵便物仕分け装置。
【請求項３】
郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を、前記郵便物の処理内容毎に前記郵便物に割り当てられた区分番号で区分して記憶する分類表記憶手段と、
搬送される前記郵便物を計数する計数手段と、
搬送される前記郵便物に付加された管理情報を読み取る管理情報読み取り手段と、
計数結果と読み取られた前記管理情報とを前記配送先情報分類表に照らし合わせ、前記管理情報の照合を行う管理情報照合手段と、
照合結果に基づいて、前記郵便物を仕分ける仕分け手段と
を備えた郵便物仕分け装置であって、
前記管理情報が、前記区分番号と前記管理番号とを複合化した数列からなる
ことを特徴とする郵便物仕分け装置。
【請求項４】
前記仕分け手段が、前記管理情報照合手段による照合結果に基づいて、前記郵便物に異なるマーキングを施す
ことを特徴とする請求項１から請求項３のいずれかに記載の郵便物仕分け装置。
【請求項５】
前記仕分け手段が、前記管理情報照合手段による照合結果に基づいて、前記郵便物を分離する
ことを特徴とする請求項１から請求項３のいずれかに記載の郵便物仕分け装置。
【請求項６】
郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を記憶し、
搬送される前記郵便物を計数する計数処理と、
搬送される前記郵便物に付加された管理情報を読み取る管理情報読み取り処理と、
計数結果と読み取られた前記管理情報とを前記配送先情報分類表に照らし合わせ、前記管理情報の照合を行う管理情報照合処理と、
照合結果に基づいて、前記郵便物を仕分ける仕分け処理と
を実行する郵便物仕分け方法であって、
前記管理情報が、前記郵便番号と前記管理番号とを複合化した数列からなる
ことを特徴とする郵便物仕分け方法。
【請求項７】
郵便物の配送先情報に含まれる郵便番号毎に、該郵便番号を付加された郵便物の通数と、同一の郵便番号が付与された前記郵便物の集合毎に独立に管理されると共に、それぞれの集合の中で前記配送先情報に連続して一意に割り当てられた同郵便番号内管理番号の範囲との関連付けを表した配送先情報分類表を記憶し、
搬送される前記郵便物を計数する計数処理と、
搬送される前記郵便物に付加された管理情報を読み取る管理情報読み取り処理と、
計数結果と読み取られた前記管理情報とを前記配送先情報分類表に照らし合わせ、前記管理情報の照合を行う管理情報照合処理と、
照合結果に基づいて、前記郵便物を仕分ける仕分け処理と
を実行する郵便物仕分け方法であって、
前記管理情報が、前記郵便番号と前記同郵便番号内管理番号とを複合化した数列からなる
ことを特徴とする郵便物仕分け方法。
【請求項８】
郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を、前記郵便物の処理内容毎に前記郵便物に割り当てられた区分番号で区分して記憶し、
搬送される前記郵便物を計数する計数処理と、
搬送される前記郵便物に付加された管理情報を読み取る管理情報読み取り処理と、
計数結果と読み取られた前記管理情報とを前記配送先情報分類表に照らし合わせ、前記管理情報の照合を行う管理情報照合処理と、
照合結果に基づいて、前記郵便物を仕分ける仕分け処理と
を実行する郵便物仕分け方法であって、
前記管理情報が、前記区分番号と前記管理番号とを複合化した数列からなる
ことを特徴とする郵便物仕分け方法。
【発明の詳細な説明】
【０００１】
【発明の属する技術分野】
本発明は、郵便物を、該郵便物に付加された郵便番号毎に仕分ける郵便物仕分け装置、及び郵便物仕分け方法に関する。
【０００２】
【従来の技術】
従来、郵便物に付加された郵便番号を含む宛先データと、該データに関連付けられた連続する管理番号とを管理すると共に、搬送される郵便物に印刷された管理番号を読み取り、読み取った管理番号と宛先データとを比較することにより、郵便番号の区切りを識別し、搬送される郵便物を識別された郵便番号の区切りに応じて分離する郵便物仕分け装置がある（例えば、特許文献１参照。）。
一方、搬送される郵便物に付加された宛先データから郵便番号を読み取り、読み取った郵便番号が等しい郵便物、あるいは上位２桁の郵便番号が等しい郵便物等、一定の条件下の郵便番号が付加された郵便物を、該郵便物毎に区分して結束する郵便物仕分け装置がある（例えば、特許文献２参照。）。
【０００３】
【特許文献１】
特開２０００−３１７４０５号公報
【特許文献２】
特開平０６−７９２３９号公報
【０００４】
【発明が解決しようとする課題】
しかし、特許文献１に記載の技術のように、郵便物に付加された連続する管理番号のみを読み取って郵便物の管理を行う場合、特定の管理番号が抜けたことを検出することで、郵便物の抜けやデータ飛び等の作業不良を発見することができるものの、地域や配送条件による一般や特別等の処理区分の違いにより郵便物を管理しようとすると、処理区分毎に連続する管理番号を付加する必要が発生するため、処理区分と管理番号との対応付けまで明確にしないと、管理番号から郵便番号を特定し、搬送される郵便物を識別された郵便番号の区切りに応じて仕分けることができないという問題があった。同様に、管理番号のみから該管理番号に関連付けられた郵便番号を取得する場合、例えば日ごとに処理区分と管理番号との対応付けを保持する管理ファイルを、別の日のものと取り違えてしまうようなミスを発見できないという問題があった。
【０００５】
一方、特許文献２に記載の技術のように、郵便物に付加された郵便番号自体を読み取って郵便物の管理を行う場合、同一の郵便番号が付加された複数の郵便物に対し、郵便物の抜けやデータ飛び等の作業不良を発見することができないという問題があった。
また、管理番号が付加された郵便物から、管理番号と宛先データの中の郵便番号とを同時に読み取ろうとした場合、郵便物から２箇所の部分を読み取る必要があるため、読み取り手段を２組設けることで対応しようとすると装置のコストが高くなり、１個の読み取り手段を２回使用して２箇所の部分を読み取ろうとすると作業効率が低下するという問題があった。
【０００６】
本発明は、上記課題に鑑みてなされたもので、郵便物の仕分け作業と作業不良の検出とを簡単かつ早期に行うことができる郵便物仕分け装置、及び郵便物仕分け方法を提供することを目的とする。
【０００７】
【課題を解決するための手段】
上記課題を解決するために、請求項１の発明に係る郵便物仕分け装置は、郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を記憶する分類表記憶手段（例えば実施の形態の配送先情報データベース１１）と、搬送される前記郵便物を計数する計数手段（例えば実施の形態の計数器２）と、搬送される前記郵便物に付加された管理情報を読み取る管理情報読み取り手段（例えば実施の形態の読み取り機３）と、計数結果と読み取られた前記管理情報とを前記配送先情報分類表に照らし合わせ、前記管理情報の照合を行う管理情報照合手段（例えば実施の形態の照合処理部１２）と、照合結果に基づいて、前記郵便物を仕分ける仕分け手段（例えば実施の形態の印刷処理部１３及びマーカ印刷機４）とを備えた郵便物仕分け装置であって、前記管理情報が、前記郵便番号と前記管理番号とを複合化した数列からなることを特徴とする。
【０００８】
以上の構成を備えた郵便物仕分け装置は、計数手段により計数された郵便物の任意の場所に、管理情報としてまとめて付加された２つの情報、すなわち郵便物の配送先を示す郵便番号と、郵便番号順に並べられた郵便物の配送先情報に連続して一意に割り当てられた管理番号とを、管理情報読み取り手段を利用して一度に取得する。そして、管理情報照合手段が計数結果と共に取得した管理情報を、分類表記憶手段に記憶された配送先情報分類表と照合することで、管理情報が計数結果から予測されるデータであるか否かを確認すると共に、仕分け手段により、照合結果に基づいて郵便物を仕分けることで、郵便物の抜けやデータ飛び等の作業不良の検査と郵便番号による仕分けを同時に行うことができる。
【０００９】
請求項２の発明に係る郵便物仕分け装置は、郵便物の配送先情報に含まれる郵便番号毎に、該郵便番号を付加された郵便物の通数と、同一の郵便番号が付与された前記郵便物の集合毎に独立に管理されると共に、それぞれの集合の中で前記配送先情報に連続して一意に割り当てられた同郵便番号内管理番号の範囲との関連付けを表した配送先情報分類表を記憶する分類表記憶手段（例えば実施の形態の配送先情報データベース１１）と、搬送される前記郵便物を計数する計数手段（例えば実施の形態の計数器２）と、搬送される前記郵便物に付加された管理情報を読み取る管理情報読み取り手段（例えば実施の形態の読み取り機３）と、計数結果と読み取られた前記管理情報とを前記配送先情報分類表に照らし合わせ、前記管理情報の照合を行う管理情報照合手段（例えば実施の形態の照合処理部１２）と、照合結果に基づいて、前記郵便物を仕分ける仕分け手段（例えば実施の形態の印刷処理部１３及びマーカ印刷機４）とを備えた郵便物仕分け装置であって、前記管理情報が、前記郵便番号と前記同郵便番号内管理番号とを複合化した数列からなることを特徴とする。
【００１０】
以上の構成を備えた郵便物仕分け装置は、計数手段により計数された郵便物の任意の場所に、管理情報としてまとめて付加された２つの情報、すなわち郵便物の配送先を示す郵便番号と、同一の郵便番号が付与された郵便物の集合毎に独立に管理されると共に、それぞれの集合の中で郵便物の配送先情報に一意に割り当てられた連続する同郵便番号内管理番号とを、管理情報読み取り手段を利用して一度に取得する。そして、管理情報照合手段が計数結果と共に取得した管理情報を、分類表記憶手段に記憶された配送先情報分類表と照合することで、管理情報が計数結果から予測されるデータであるか否かを確認すると共に、仕分け手段により、照合結果に基づいて郵便物を仕分けることで、郵便物の抜けやデータ飛び等の作業不良の検査と郵便番号による仕分けを同時に行うことができる。
【００１１】
請求項３の発明に係る郵便物仕分け装置は、郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を、前記郵便物の処理内容毎に前記郵便物に割り当てられた区分番号で区分して記憶する分類表記憶手段（例えば実施の形態の配送先情報データベース１１）と、搬送される前記郵便物を計数する計数手段（例えば実施の形態の計数器２）と、搬送される前記郵便物に付加された管理情報を読み取る管理情報読み取り手段（例えば実施の形態の読み取り機３）と、計数結果と読み取られた前記管理情報とを前記配送先情報分類表に照らし合わせ、前記管理情報の照合を行う管理情報照合手段（例えば実施の形態の照合処理部１２）と、照合結果に基づいて、前記郵便物を仕分ける仕分け手段（例えば実施の形態の印刷処理部１３及びマーカ印刷機４）とを備えた郵便物仕分け装置であって、前記管理情報が、前記区分番号と前記管理番号とを複合化した数列からなることを特徴とする。
【００１２】
以上の構成を備えた郵便物仕分け装置は、計数手段により計数された郵便物の任意の場所に、管理情報としてまとめて付加された２つの情報、すなわち郵便物の処理内容毎に郵便物に割り当てられた区分番号と、郵便番号順に並べられた郵便物の配送先情報に連続して一意に割り当てられた管理番号とを、管理情報読み取り手段を利用して一度に取得する。そして、管理情報照合手段が計数結果と共に取得した管理情報を、分類表記憶手段に記憶された配送先情報分類表と照合することで、管理情報が計数結果から予測されるデータであるか否かを確認すると共に、仕分け手段により、照合結果に基づいて郵便物を仕分けることで、郵便物の抜けやデータ飛び等の作業不良の検査と郵便番号による仕分けを同時に行うことができる。
【００１３】
請求項４の発明に係る郵便物仕分け装置は、請求項１から請求項３のいずれかに記載の郵便物仕分け装置において、前記仕分け手段が、前記管理情報照合手段による照合結果に基づいて、前記郵便物に異なるマーキングを施すことを特徴とする。
以上の構成を備えた郵便物仕分け装置は、作業者が仕分けられた郵便物をマーキングにより容易に区別することができる。
【００１４】
請求項５の発明に係る郵便物仕分け装置は、請求項１から請求項３のいずれかに記載の郵便物仕分け装置において、前記仕分け手段が、前記管理情報照合手段による照合結果に基づいて、前記郵便物を分離することを特徴とする。
以上の構成を備えた郵便物仕分け装置は、仕分けられた郵便物が分離されるので、次の作業を容易に行うことができる。
【００１５】
請求項６の発明に係る郵便物仕分け方法は、郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を記憶し、搬送される前記郵便物を計数する計数処理と、搬送される前記郵便物に付加された管理情報を読み取る管理情報読み取り処理と、計数結果と読み取られた前記管理情報とを前記配送先情報分類表に照らし合わせ、前記管理情報の照合を行う管理情報照合処理と、照合結果に基づいて、前記郵便物を仕分ける仕分け処理とを実行する郵便物仕分け方法であって、前記管理情報が、前記郵便番号と前記管理番号とを複合化した数列からなることを特徴とする。
【００１６】
請求項７の発明に係る郵便物仕分け方法は、郵便物の配送先情報に含まれる郵便番号毎に、該郵便番号を付加された郵便物の通数と、同一の郵便番号が付与された前記郵便物の集合毎に独立に管理されると共に、それぞれの集合の中で前記配送先情報に連続して一意に割り当てられた同郵便番号内管理番号の範囲との関連付けを表した配送先情報分類表を記憶し、搬送される前記郵便物を計数する計数処理と、搬送される前記郵便物に付加された管理情報を読み取る管理情報読み取り処理と、計数結果と読み取られた前記管理情報とを前記配送先情報分類表に照らし合わせ、前記管理情報の照合を行う管理情報照合処理と、照合結果に基づいて、前記郵便物を仕分ける仕分け処理とを実行する郵便物仕分け方法であって、前記管理情報が、前記郵便番号と前記同郵便番号内管理番号とを複合化した数列からなることを特徴とする。
【００１７】
請求項８の発明に係る郵便物仕分け方法は、郵便物の配送先情報に含まれる郵便番号毎に、該郵便番号を付加された郵便物の通数と、郵便番号順に並べられた前記配送先情報に連続して一意に割り当てられた管理番号の範囲との関連付けを表した配送先情報分類表を、前記郵便物の処理内容毎に前記郵便物に割り当てられた区分番号で区分して記憶し、搬送される前記郵便物を計数する計数処理と、搬送される前記郵便物に付加された管理情報を読み取る管理情報読み取り処理と、計数結果と読み取られた前記管理情報とを前記配送先情報分類表に照らし合わせ、前記管理情報の照合を行う管理情報照合処理と、照合結果に基づいて、前記郵便物を仕分ける仕分け処理とを実行する郵便物仕分け方法であって、前記管理情報が、前記区分番号と前記管理番号とを複合化した数列からなることを特徴とする。
【００１８】
【発明の実施の形態】
以下、本発明の実施の形態について説明する。
まず、図面を参照して本発明の一実施の形態について説明する。図１は、本発明の一実施の形態の郵便物仕分け装置の構成を示すブロック図である。
図１において、符号１は、本実施の形態の郵便物仕分け装置を制御するＣＰＵ（中央演算装置）を備えた制御部であって、郵便物を搬送するための搬送用コンベア（図示せず）に配置されると共に、該搬送用コンベア上を搬送される郵便物を計数する計数器２と、搬送される郵便物から、郵便物に付加されると共に、郵便物を仕分ける際に利用する数列で表された管理情報を読み取る読み取り機３と、読み取られた管理情報に従って仕分けられた郵便物に、郵便物毎に異なる仕分け用のマーキングを行うマーカ印刷機４とが接続されている。更に、制御部１には、郵便物から読み取られた管理情報を表示するためのＣＲＴ（Ｃａｔｈｏｄｅ  Ｒａｙ  Ｔｕｂｅ）ディスプレイ装置や液晶表示装置等の表示装置５が接続されている。
【００１９】
また、郵便物に付加される管理情報と読み取り機３とは、郵便物に付加される管理情報の形態により組み合わされる対の情報及び装置であって、例えば、郵便物に付加される管理情報が数字等の文字で付加される場合は、読み取り機３はカメラ等の撮像手段を含み、管理情報を画像情報として取得することができる装置を用いるものとする。また、例えば、郵便物に付加される管理情報がバーコードで付加される場合は、読み取り機３はバーコードリーダ等の入力手段を含み、管理情報を直接数列情報として取得することができる装置を用いるものとする。
【００２０】
なお、郵便物へ付加された管理情報の形態は、郵便物へ直接宛名や管理情報を印刷する方法や、シール状の用紙に宛名や管理情報を印刷し、このシール状の用紙を郵便物へ貼り付ける方法、あるいは郵便物を構成する窓付き封筒の中の内容物に宛名や管理情報を印刷し、封筒の窓からこれらを認識するもののいずれでも良い。また、宛名と管理情報は同じ方法で付加される必要はなく、宛名及び管理情報それぞれが上述の３つの形態のいずれによって付加されても良い。
更に、郵便物が小包のようなものである場合、ＩＣタグ等を利用して宛名や管理情報を付加することもできる。この場合、読み取り機３はＩＣタグリーダ等の入力手段を用いるものとする。
【００２１】
一方、制御部１は、入力アナログ信号をディジタル信号に変換するＡ／Ｄ変換回路、ＣＰＵが演算途中のデータを記憶するために使用するＲＡＭ（Ｒａｎｄｏｍ  Ａｃｃｅｓｓ  Ｍｅｍｏｒｙ）、ＣＰＵが実行するプログラムやテーブル、マップなどを記憶するＲＯＭ（Ｒｅａｄ  Ｏｎｌｙ  Ｍｅｍｏｒｙ）等を備えており、読み取り機３により読み取られた管理情報がアナログ信号による情報であった場合は、これをディジタル信号に変換しＣＰＵに入力するように構成されている。
【００２２】
更に、制御部１は、配送先情報データベース１１と、照合処理部１２と、印刷処理部１３とを備えている。
ここで、配送先情報データベース１１は、郵便物の配送先情報に含まれる郵便番号毎に、該郵便番号を付加された郵便物の通数と、郵便番号順に並べられた配送先情報に割り当てられた管理番号の範囲との関連付けを表した配送先情報分類表を記憶する記憶するデータベースであって、データベースに記憶される情報の詳細は後述する。
【００２３】
照合処理部１２は、搬送される郵便物から読み取り機３によって読み取られた管理情報を、計数器２による計数結果と共に、配送先情報データベース１１に記憶された配送先情報分類表に照らし合わせ、計数結果から期待される正しい管理情報か否かを判定すると共に、郵便物の郵便番号や処理区分毎に該郵便物を仕分ける処理部である。
また、印刷処理部１３は、マーカ印刷機４に対し、照合処理部１２の仕分け結果に基づいて、仕分けられた郵便物毎に異なるマーカ印刷を指示する処理部である。
これにより、制御部１は、搬送される郵便物を計数すると共に、読み取り機３を用いて郵便物に付加された管理情報を読み取り、照合処理部１２によって、計数結果と読み取られた管理情報とに基づいて、郵便物の抜けやデータの飛び等の作業不良のチェックと仕分けを行う。
【００２４】
なお、配送先情報データベース１１は、ハードディスク装置や光磁気ディスク装置、フラッシュメモリ等の不揮発性のメモリや、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体を含んで構成されるものとする。
また、照合処理部１２と、印刷処理部１３は、それぞれ、専用のハードウェアにより実現されるものであってもよい。
更に、制御部１には、周辺機器として入力装置、表示装置等（いずれも図示せず）が接続されるものとする。ここで、入力装置とはキーボード、マウス等の入力デバイスのことをいう。
【００２５】
次に、本実施の形態の動作について図面を参照して説明する。
図２は、本実施の形態の郵便物仕分け装置の動作を示すフローチャートである。
図２において、まず制御部１の照合処理部１２は、配送先情報データベース１１から、郵便物の配送先情報に含まれる郵便番号毎に、該郵便番号を付加された郵便物の通数と、郵便番号順に並べられた配送先情報に連続して一意に割り当てられた管理番号の範囲との関連付けを表した配送先情報分類表を読み込む（ステップＳ１）。
図３（ａ）は、本実施の形態の配送先情報分類表の一例であって、配送先情報分類表には、郵便番号、同一郵便番号通数、及び郵便番号順に並べられた配送先情報に連続して一意に割り当てられた管理番号の範囲との関連付けの他、郵便物の処理内容毎に郵便物に割り当てられた区分番号が記憶されている。
【００２６】
また、配送先情報分類表が読み込まれたら、郵便物を、計数器２を利用してその数を計数しながら、搬送用コンベアへ載せて搬送する（ステップＳ２）。
そして、搬送用コンベアに配置された読み取り機３により、郵便物に付加された管理情報を読み取る（ステップＳ３）。
図３（ｂ）は、図３（ａ）に示す配送先情報分類表に対応して、搬送される郵便物に付加された管理情報の一例であって、管理情報は、図３（ｂ）に示すように、配送先情報分類表に記憶された郵便番号と、郵便番号順に並べられた配送先情報に連続して一意に割り当てられた管理番号とを複合化した数列から構成される。
【００２７】
次に、読み取り機３によって郵便物の管理情報が読み取れたか否かを判定する（ステップＳ４）。
もし、ステップＳ４において、読み取り機３によって郵便物の管理情報が読み取れた場合（ステップＳ４のＹＥＳ）、制御部１の照合処理部１２は、該郵便物に対する通数の計数値（計数結果）と、該郵便物から読み取った管理情報とを配送先情報分類表に照らし合わせて、郵便物の抜けやデータの飛び等の作業不良のチェックと郵便番号のチェックとを行い（ステップＳ５）、搬送される郵便物から読み取り機３によって読み取られた管理情報が、計数結果から期待される正しい管理情報か否かを判定する（ステップＳ６）。
【００２８】
もし、ステップＳ６において、管理情報が期待される正しい管理情報であった場合（ステップＳ６のＹＥＳ）、郵便番号仕分けあるいは通数仕分けを行う指定があるか否かを判定する（ステップＳ７）。
ステップＳ７において、郵便番号仕分けあるいは通数仕分けを行う指定がある場合（ステップＳ７のＹＥＳ）、配送先情報分類表に基づいて、（１）郵便番号の変わり目、（２）郵便番号の上位２桁同一による２桁仕分け、（３）その他雑仕分け等の郵便番号仕分け、あるいは管理情報と計数結果による通数仕分けを行う（ステップＳ８）。
そして、印刷処理部１３は、マーカ印刷機４に対し、仕分けられた郵便物毎に異なるマーカ印刷を指示し（ステップＳ９）、作業者は印刷されたマーカに基づいて郵便物を分離し、配送へ回す。
【００２９】
なお、ステップＳ７において、郵便番号仕分けあるいは通数仕分けを行う指定がない場合（ステップＳ７のＮＯ）、印刷処理部１３は何も行わず、作業者は郵便物をそのまま配送へ回す。
一方、ステップＳ４において、読み取り機３によって郵便物の管理情報が読みとれなかった場合（ステップＳ４のＮＯ）、あるいはステップＳ６において、管理情報が期待される正しい管理情報でなかった場合（ステップＳ６のＮＯ）、印刷処理部１３は、マーカ印刷機４に対し、不良郵便物に対するマーカ印刷を指示し（ステップＳ１０）、照合処理部１２は、郵便物仕分け装置の動作を停止する（ステップＳ１１）。
この後、作業者は、配送先情報分類表に照らし合わせて、郵便物のデータ修正を行う。
【００３０】
以上説明したように、本実施の形態の郵便物仕分け装置は、例えば郵便物の配送先情報に含まれる郵便番号毎に、該郵便番号を付加された郵便物の通数と、郵便番号順に並べられた配送先情報に連続して一意に割り当てられた管理番号の範囲との関連付けを表した配送先情報分類表を配送先情報データベース１１へ記憶すると共に、郵便物を計数しながら搬送し、読み取り機３によって搬送される郵便物から付加された管理情報を読み取る。
そして、制御部１の照合処理部１２が、計数結果と読み取られた管理情報とを配送先情報分類表に照らし合わせ、郵便物の抜けやデータの飛び等の作業不良のチェックと郵便番号のチェックとを行い、読み取り機３によって読み取られた管理情報が、計数結果から期待される正しい管理情報か否かを判定する。また、印刷処理部１３が、マーカ印刷機４を制御して、照合結果（判定結果）に基づいたマーカ印刷を行う。
【００３１】
これにより、郵便番号と管理番号とを管理情報として一度に取得できることで、読み取り機３を２つ設けたり、２回読み取り作業を行う必要がなく、安価に装置を構成すると共に郵便物の仕分け作業を簡素化し、容易にかつ安価に郵便物の仕分け作業を行うことができるという効果が得られる。
また、管理情報に含まれる郵便番号と管理番号によって、郵便物の抜けやデータの飛び等の作業不良のチェックと郵便番号による仕分けを同時に行い、郵便物の仕分け作業の効率を向上させることができるという効果が得られる。
【００３２】
また、同様の効果を得るための郵便物仕分け装置の変形例を以下に示す。
郵便物仕分け装置の変形例としては、図４（ａ）に示すように、配送先情報分類表には、郵便番号、同一郵便番号通数、及び同一の郵便番号が付与された郵便物の集合毎に独立に管理されると共に、それぞれの集合の中で配送先情報に一意に割り当てられた連続する同郵便番号内管理番号の範囲との関連付けの他、郵便物の処理内容毎に郵便物に割り当てられた区分番号を記憶する。
また、管理情報は、図４（ａ）に示す配送先情報分類表に対応して、図４（ｂ）に示すように、配送先情報分類表に記憶された郵便番号と、同一の郵便番号が付与された郵便物の集合毎に独立に管理されると共に、それぞれの集合の中で配送先情報に一意に割り当てられた連続する同郵便番号内管理番号とを複合化した数列から構成する。
【００３３】
更に、別の変形例としては、管理情報を、図３（ａ）に示す配送先情報分類表に対応して、図５に示すように、配送先情報分類表に記憶された区分番号と、郵便番号順に並べられた配送先情報に連続して一意に割り当てられた管理番号とを複合化した数列から構成しても良い。
なお、郵便物の仕分け作業は、印刷処理部１３とマーカ印刷機４による照合処理部１２の照合結果（判定結果）に基づいたマーカ印刷ではなく、搬送用コンベアに設けられたポケットに郵便物を分離、蓄積する仕分け装置（図示せず）により、照合結果（判定結果）に基づいて郵便物を分離するようにしても良い。
【００３４】
【発明の効果】
以上の如く、本発明によれば、郵便物の配送先を示す郵便番号と、郵便物に一意に割り当てられた管理番号とを管理情報として一度に取得し、取得した郵便番号と管理番号とに基づいて正確に郵便物を仕分けることができる。
従って、郵便番号と管理番号とを管理情報として一度に取得できることで、管理情報読み取り手段を２つ設けたり、２回読み取り作業を行う必要がなく、安価に装置を構成すると共に郵便物の仕分け作業を簡素化し、容易にかつ安価に郵便物の仕分け作業を行うことができるという効果が得られる。
【００３５】
また、管理情報に含まれる郵便番号と管理番号によって、郵便物の抜けやデータの飛び等の作業不良のチェックと郵便番号による仕分けを同時に行い、郵便物の仕分け作業の効率を向上させることができるという効果が得られる。
更に、郵便物を仕分ける際に、仕分けられた郵便物毎に異なるマーキングを付加する場合は、安価に郵便物仕分け装置を実現することができるという効果が得られると共に、郵便物を仕分けられた郵便物毎に分離した場合は、後の作業の負担が減少し、郵便物の仕分け作業の効率を向上させることができるという効果が得られる。
【図面の簡単な説明】
【図１】本発明の一実施の形態の郵便物仕分け装置の構成を示すブロック図である。
【図２】同実施の形態の郵便物仕分け装置の動作を示すフローチャートである。
【図３】同実施の形態の郵便物仕分け装置の配送先情報データベースの記憶内容と、郵便物に付加された管理情報の内容を示す図である。
【図４】同実施の形態の郵便物仕分け装置の変形例による配送先情報データベースの記憶内容と、郵便物に付加された管理情報の内容を示す図である。
【図５】同実施の形態の郵便物仕分け装置の別の変形例による郵便物に付加された管理情報の内容を示す図である。
【符号の説明】
１    制御部
２    計数器
３    読み取り機
４    マーカ印刷機
５    表示装置
１１    配送先情報データベース
１２    照合処理部
１３    印刷処理部
【図１】
2004148238.tif 000003
【図２】
2004148238.tif 000004
【図３】
2004148238.tif 000005
【図４】
2004148238.tif 000006
【図５】
2004148238.tif 000007